(57)【特許請求の範囲】
【請求項１】
乗場への進入を規制するための規制装置が設置され、利用者ごとに、前記規制装置の通行が許可されているか否かが、当該利用者の識別情報に対する認証の成否により判断されるエレベータ、に適用可能な制御システムであって、
前記規制装置に設けられる操作機能付きの表示装置と、
前記識別情報の認証が成功した場合に、当該識別情報に対応付けられている降車許可階を前記表示装置に選択可能に表示し、そこで選択された降車許可階を用いて呼び登録を行う手動登録処理、を実行することが可能な呼び登録処理部と、
前記規制装置の状態を、通行規制を実行した規制状態と、通行規制を解除した解除状態、の何れかに設定する設定処理部と
を備え、
前記設定処理部は、前記呼び登録処理部にて前記手動登録処理が実行される場合には、前記規制装置の状態を前記規制状態に設定する、エレベータの制御システム。
【請求項２】
前記表示装置は、前記降車許可階を選択可能に表示する場合、当該降車許可階の何れかを選択することで前記規制装置での通行規制が解除されることを利用者に通知する、請求項１に記載のエレベータの制御システム。
【請求項３】
前記設定処理部は、前記呼び登録処理部にて前記手動登録処理での呼び登録が実行された後に、前記規制装置の状態を前記解除状態に切り替える、請求項１又は２に記載のエレベータの制御システム。
【請求項４】
前記呼び登録処理部は、前記手動登録処理と、前記識別情報の認証が成功した場合に、当該識別情報に対応付けられている初期設定階を用いて呼び登録を行う自動登録処理、の何れか一方を選択的に実行することが可能であり、
前記設定処理部は、前記呼び登録処理部にて前記自動登録処理が実行される場合には、前記規制装置の状態を前記解除状態に設定する、請求項１〜３の何れかに記載のエレベータの制御システム。
【発明の詳細な説明】
【技術分野】
【０００１】
本発明は、セキュリティゲートなどの規制装置が設置されたエレベータの制御技術に関する。
【背景技術】
【０００２】
例えば特許文献１には、セキュリティゲートなどの規制装置をエレベータに設置し、利用者が規制装置を通過しようとした場合に、当該利用者の識別情報（例えば、利用者が所持するＩＣカードから読み取った識別情報（固有ＩＤなど））に対して認証を行い、その認証が成功した場合に、その利用者に対する通行規制を解除して規制装置の通過を可能にする技術が開示されている。また、特許文献１には、利用者に対する通行規制の解除後に、当該利用者の識別情報に対応付けられている初期設定階を用いて呼び登録を行う自動登録処理の技術が開示されている。
【先行技術文献】
【特許文献】
【０００３】
【特許文献１】特開２０１３−６７４８９号公報
【発明の概要】
【発明が解決しようとする課題】
【０００４】
上述した特許文献１の技術では、呼び登録によって利用者が移動できる行先階は、利用者の識別情報に対応付けられている初期設定階（例えば、オフィス階など）に限られる。しかし、カフェテリアや食堂などが設けられた共用階が建物内にある場合には、初期設定階とは別に、そのような共用階へもエレベータで移動できるようにする必要がある。
【０００５】
そこで本発明者は、識別情報の認証が成功した場合に、当該識別情報に対応付けられている降車許可階（共用階など）を表示装置に選択可能に表示し、そこで行先階として選択された降車許可階を用いて呼び登録を行う手動登録処理の技術を提案している。その一方で、本発明者は、自身が提案する上記技術においては、特許文献１のように認証の成功を以て即座に通行規制を解除すると、表示装置での利用者による行先階選択の有無に拘わらず、規制装置は通行可能な状態になってしまうため、利用者によっては、行先階を登録せずに（即ち、表示された降車許可階を何れも選択せずに）規制装置を通過するおそれがあることを見出した。
【０００６】
このように利用者が行先階を登録せずに規制装置を通過してしまうと、後続の利用者が、既に降車許可階が表示されている表示装置の画面を見て混乱するといった事態や、その画面を終了させるために後続の利用者が適当に行先階を登録することで、無駄呼びが発生するといった事態などが生じ得る。
【０００７】
そこで本発明の目的は、エレベータの制御システムとして、手動登録処理で呼び登録を行う場合に、利用者に、行先階を手動で登録する必要があることを気付かせることができるシステムを提供することである。
【課題を解決するための手段】
【０００８】
本発明に係る制御システムは、乗場への進入を規制するための規制装置が設置されたエレベータに適用可能であり、当該エレベータでは、利用者ごとに、規制装置の通行が許可されているか否かが、当該利用者の識別情報に対する認証の成否により判断される。この制御システムは、規制装置に設けられる操作機能付きの表示装置と、呼び登録処理部と、設定処理部と、を備える。呼び登録処理部は、識別情報の認証が成功した場合に、当該識別情報に対応付けられている降車許可階を表示装置に選択可能に表示し、そこで選択された降車許可階を用いて呼び登録を行う手動登録処理、を実行することが可能である。設定処理部は、規制装置の状態を、通行規制を実行した規制状態と、通行規制を解除した解除状態、の何れかに設定する。そして、設定処理部は、呼び登録処理部にて手動登録処理が実行される場合には、規制装置の状態を規制状態に設定する。
【０００９】
上記制御システムによれば、呼び登録処理部にて手動登録処理が実行される場合には、利用者は、規制装置の通行が許可されている者であるにも拘らず、規制装置の通行が規制（禁止）されることになる。そのとき、利用者は、自身の通行が規制された理由を探ろうとし、その結果として、行先階を手動で登録する必要があること（即ち、表示装置にて降車許可階の何れかを選択する必要があること）に気付くことができる。
【００１０】
上記制御システムにおいて、表示装置は、降車許可階を選択可能に表示する場合、当該降車許可階の何れかを選択することで規制装置での通行規制が解除されることを利用者に通知してもよい。このような通知によれば、利用者は、行先階を手動で登録する必要があることに気付きやすくなる。
【００１１】
上記制御システムにおいて、設定処理部は、呼び登録処理部にて手動登録処理での呼び登録が実行された後に、規制装置の状態を解除状態に切り替えてもよい。この構成によれば、通行規制が解除されることにより、利用者は、表示装置で行先階を選択することで呼び登録が実行されたことや、その結果として規制装置の通行が可能になったことなどを認識することができる。
【００１２】
上記制御システムにおいて、呼び登録処理部は、手動登録処理と、識別情報の認証が成功した場合に、当該識別情報に対応付けられている初期設定階を用いて呼び登録を行う自動登録処理、の何れか一方を選択的に実行することが可能であってもよい。そして、設定処理部は、呼び登録処理部にて自動登録処理が実行される場合には、規制装置の状態を解除状態に設定してもよい。この構成によれば、呼び登録処理部にて自動登録処理が実行される場合には、行先階が自動で登録されるため、行先階の登録なしに利用者が規制装置を通行するといった事態が生じない。よって、呼び登録処理部にて自動登録処理が選択される場合には、手動登録処理が選択された場合とは異なり、即座に通行規制を解除することができる。これにより、利用者は、立ち止まることなく規制装置をスムーズに通行することが可能になる。
【発明の効果】
【００１３】
本発明によれば、手動登録処理で呼び登録を行う場合に、利用者に、行先階を手動で登録する必要があることを気付かせることが可能になる。
【図面の簡単な説明】
【００１４】
【図１】実施形態に係る制御システムが適用されたエレベータの全体構成を示した概念図である。
【図２】操作機能付きの表示装置に表示される画面について、自動登録処理によって呼び登録が行われる場合の当該画面の変化を例示した図である。
【図３】操作機能付きの表示装置に表示される画面について、手動登録処理によって呼び登録が行われる場合の当該画面の変化を例示した図である。
【図４】セキュリティサーバで実行されるセキュリティ管理処理を示したフローチャートである。
【図５】（Ａ）装置管理データの一例を示した概念図、及び（Ｂ）対応管理データの一例を示した概念図である。
【図６】群管理制御装置で実行される呼び登録処理を示したフローチャートである。
【図７】群管理制御装置で実行される自動登録処理を示したフローチャートである。
【図８】群管理制御装置で実行される手動登録処理を示したフローチャートである。
【図９】行先階選択画面にてタイムアウトするまでの時間が表示された２つの例を示した図である。
【発明を実施するための形態】
【００１５】
［１］エレベータ及びその制御システムの構成
［１−１］エレベータの全体構成
図１は、実施形態に係る制御システムが適用されたエレベータの全体構成を示す概念図である。図１に示されるように、エレベータは、乗りかご１００と、規制装置１０１と、セキュリティサーバ１０２と、エレベータ制御装置１０３と、群管理制御装置１０４と、を備える。以下、各部の構成について具体的に説明する。尚、特に限定されるものではないが、図１では、エレベータの一例として、乗りかご１００を３つ、規制装置１０１を３つ備えた構成が示されている。
【００１６】
＜規制装置＞
規制装置１０１は、セキュリティゲートなど、建物の特定階（ロビー階など）においてエレベータの乗場Ｈへの進入を規制する装置であり、通行規制を実行した規制状態（ゲートを閉じた状態）と、通行規制を解除した解除状態（ゲートを開いた状態）と、の間で状態を切り替えることにより、利用者の通行を制限する。そして、本実施形態の規制装置１０１には、それらを識別するための装置情報Ｐｄが設定されている。また、規制装置１０１には、利用者が所持する記録媒体Ｑ（ＩＣカードや磁気カードなど）から情報を読み取る読取装置１と、利用者が乗車すべき乗りかご１００の情報などを表示する表示装置２と、が設けられている。ここで、記録媒体Ｑには、それを所持する利用者の識別情報Ｐｉ（記録媒体Ｑを識別する固有の情報。固有ＩＤなど）が記録されており、読取装置１は、記録媒体Ｑから識別情報Ｐｉを読み取る。また、表示装置２には、利用者が乗車すべき乗りかご１００の情報として、当該乗りかご１００を識別する情報（番号や記号など。以下、この情報を「乗りかご情報Ｐｇ」と称す）が表示される。
【００１７】
尚、読取装置１による記録媒体Ｑの読取り方法は、接触式のものであってもよいし、ＮＦＣ（Near  Field  Communication）等の近距離通信で情報を読み取る非接触式のものであってもよく、特に限定されるものではない。また、記録媒体Ｑは、カード状のものに限らず、スティック状やチップ状のものであってもよい。更に、読取装置１との近距離通信（ＮＦＣ等）が可能なスマートフォン等の携帯情報端末が、記録媒体Ｑとして用いられてもよい。
【００１８】
読取装置１で読み取られた識別情報Ｐｉは、セキュリティサーバ１０２で実行される当該識別情報Ｐｉの認証（具体的には、当該識別情報Ｐｉで識別される利用者が規制装置１０１の通行を許可されている者であるか否か、を判断するための認証）などに用いられる。そこで、規制装置１０１は、読取装置１が識別情報Ｐｉを読み取った場合、その識別情報Ｐｉをセキュリティサーバ１０２に送信する（図１参照）。このとき、規制装置１０１は、識別情報Ｐｉの送信元である自身の位置をセキュリティサーバ１０２に認識させるために、当該規制装置１０１の装置情報Ｐｄを、識別情報Ｐｉと共にセキュリティサーバ１０２に送信する。尚、規制装置１０１は、装置情報Ｐｄとして、自身に設けられている読取装置１（即ち、識別情報Ｐｉを読み取った読取装置１）の装置情報をセキュリティサーバ１０２に送信してもよい。
【００１９】
本実施形態では更に、操作機能付きの表示装置３が規制装置１０１に設けられている。表示装置３は、タッチパネル付きの表示パネルであり、規制装置１０１を通過するときの進入方向において表示装置２より手前に配置されている。尚、表示装置３は、ボタンで選択操作などを行う機能を持ったものであってもよい。
【００２０】
図２、表示装置３に表示される画面について、後述する自動登録処理によって呼び登録が行われる場合の当該画面の変化を例示した図である。図３は、表示装置３に表示される画面について、後述する手動登録処理によって呼び登録が行われる場合の当該画面の変化を例示した図である。図２の左図及び図３の左上図に示されるように、表示装置３は、利用者が規制装置１０１を通過してから次の利用者が読取装置１での読取りを実行するまでの期間中、待受画面を表示する。図２の左図及び図３の左上図に示された例では、待受画面として、読取装置１での記録媒体Ｑの読取りを利用者に促すメッセージが表示されている。尚、このメッセージは、表示装置３への表示に限らず、音声で利用者に通知されてもよい。
【００２１】
そして、表示装置３は、群管理制御装置１０４にて手動登録処理が実行され、当該群管理制御装置１０４から降車許可階Ｆｅが送信されてきた場合に、行先階選択画面として、当該降車許可階Ｆｅを選択可能に表示する（図３の右上図参照）。尚、表示装置３に表示される画面及びその変化（図２及び図３）の詳細については後述する。
【００２２】
＜セキュリティサーバ＞
セキュリティサーバ１０２は、規制装置１０１での通行規制の実行及び解除を利用者ごとに制御することにより、建物内のセキュリティを管理する（セキュリティ管理処理）。以下、セキュリティ管理処理の概要について説明する。尚、セキュリティ管理処理の詳細については後述する。
【００２３】
セキュリティサーバ１０２は、利用者ごとに規制装置１０１にて識別情報Ｐｉの認証を行い（認証処理。図４のステップＳ１０２参照）、そのときの認証の成否により、当該識別情報Ｐｉで識別される利用者が規制装置１０１の通行を許可されている者であるか否か、を判断する。そして、セキュリティサーバ１０２は、識別情報Ｐｉの認証に成功した場合、その識別情報Ｐｉに対応付けられている情報（即ち、後述する呼び登録処理に必要な情報）を取得し（取得処理。図４のステップＳ１０３参照）、その情報を群管理制御装置１０４に送信する（送信処理。図４のステップＳ１０４参照）。また、セキュリティサーバ１０２は、識別情報Ｐｉの認証に成功した場合、群管理制御装置１０４において自動登録処理及び手動登録処理のどちらの処理で呼び登録が実行されるのかを判断し（判断処理。図４のステップＳ１０５参照）、その判断に基づいて、規制装置１０１の状態を規制状態及び解除状態の何れかに設定する（設定処理。図４のステップＳ１０６Ａ〜Ｓ１０９参照）。
【００２４】
本実施形態では、上記の認証処理、取得処理、送信処理、判断処理、及び設定処理は、セキュリティサーバ１０２内に構築される認証処理部１０２Ａ、取得処理部１０２Ｂ、送信処理部１０２Ｃ、判断処理部１０２Ｄ、及び設定処理部１０２Ｅによって実行される（図１参照）。そして、これらの処理部は、セキュリティサーバ１０２内に回路を構築することによってハードウェアで構成されてもよいし、セキュリティサーバ１０２が備えるＣＰＵ等の処理装置にプログラムを実行させることによってソフトウェアで構成されてもよい。また、そのようなプログラムは、携帯可能な記憶装置（例えば、フラッシュメモリ等）に読取可能な状態で記憶されてもよいし、他のサーバなどにダウンロード可能に保存され、ダウンロードされたものがセキュリティサーバ１０２の記憶部（不図示）に記憶されてもよい。
【００２５】
＜エレベータ制御装置＞
エレベータ制御装置１０３は、乗りかご１００に１つずつ対応させて設けられており、自身に対応する乗りかご１００の動作を制御する。そして、エレベータ制御装置１０３は、群管理制御装置１０４によって一元的に管理及び制御される。
【００２６】
＜群管理制御装置＞
群管理制御装置１０４は、セキュリティサーバ１０２にて識別情報Ｐｉの認証が成功するごとに当該セキュリティサーバ１０２から送信されてくる情報を受信した場合に、その情報（以下、「受信情報Ｐｒ」と称す）を用いて呼び登録を行う（呼び登録処理）。以下、呼び登録処理の概要について説明する。尚、呼び登録処理の詳細については後述する。
【００２７】
呼び登録処理では、群管理制御装置１０４は、自動登録処理及び手動登録処理の何れか一方を受信情報Ｐｒの内容に応じて選択し、選択した処理を実行することで呼び登録を行う（図６参照）。自動登録処理では、群管理制御装置１０４は、受信情報Ｐｒに含まれている初期設定階Ｆｄ（利用者の降車階として初期設定された階）を用いて呼び登録を行う。手動登録処理では、群管理制御装置１０４は、受信情報Ｐｒに含まれている降車許可階Ｆｅ（利用者に許可できる降車階として初期設定階Ｆｄに限らず設定された階）を規制装置１０１の表示装置３に選択可能に表示し、当該表示装置３にて降車許可階Ｆｅの何れか１つが選択された場合に、その降車許可階Ｆｅを用いて呼び登録を行う。
【００２８】
本実施形態では、呼び登録処理は、群管理制御装置１０４内に構築される呼び登録処理部１０４Ａによって実行される（図１参照）。そして、この処理部は、群管理制御装置１０４内に回路を構築することによってハードウェアで構成されてもよいし、群管理制御装置１０４が備えるＣＰＵ等の処理装置にプログラムを実行させることによってソフトウェアで構成されてもよい。また、そのようなプログラムは、携帯可能な記憶装置（例えば、フラッシュメモリ等）に読取可能な状態で記憶されてもよいし、他のサーバなどにダウンロード可能に保存され、ダウンロードされたものが群管理制御装置１０４の記憶部（不図示）に記憶されてもよい。
【００２９】
［１−２］制御システムの構成
上述したエレベータにおいて、本実施形態に係る制御システムは、規制装置１０１のそれぞれに設けられた操作機能付きの表示装置３と、セキュリティサーバ１０２と、群管理制御装置１０４と、によって構成される。以下、この制御システムで実行される制御処理として、セキュリティサーバ１０２で実行されるセキュリティ管理処理と、群管理制御装置１０４で実行される呼び登録処理、の詳細について説明する。
【００３０】
［２］制御システムで実行される制御処理
［２−１］セキュリティ管理処理
図４、セキュリティサーバ１０２で実行されるセキュリティ管理処理を示したフローチャートである。セキュリティ管理処理は、セキュリティサーバ１０２が規制装置１０１から情報（識別情報Ｐｉ及び装置情報Ｐｄ）を受信した場合に開始される。
【００３１】
セキュリティ管理処理が開始されると、セキュリティサーバ１０２は、情報（識別情報Ｐｉ及び装置情報Ｐｄ）の送信元である規制装置１０１に対する制御（通行規制の実行及び解除の制御）が可能となるように、その送信元がどの規制装置１０１であるのかを、受信した装置情報Ｐｄに基づいて特定する（図４のステップＳ１０１）。
【００３２】
具体的には、セキュリティサーバ１０２は、装置管理データＤ１を有している。図５（Ａ）は、装置管理データＤ１の一例を示した概念図である。装置管理データＤ１では、装置情報Ｐｄごとに、当該装置情報Ｐｄで識別される規制装置１０１への情報送信に使用される装置アドレスＰａ（ＩＰアドレスなど）と、その規制装置１０１の設置階Ｆｓと、が対応付けられている。そして、セキュリティサーバ１０２は、受信した装置情報Ｐｄに対応する装置アドレスＰａを装置管理データＤ１から読み出すことにより、情報（識別情報Ｐｉ及び装置情報Ｐｄ）の送信元である規制装置１０１を特定する。
【００３３】
その後、セキュリティサーバ１０２は、受信した識別情報Ｐｉの認証を行い（認証処理。図４のステップＳ１０２）、そのときの認証の成否により、当該識別情報Ｐｉで識別される利用者が規制装置１０１の通行を許可されている者であるか否か、を判断する。即ち、利用者ごとに、規制装置１０１の通行が許可されているか否かが、当該利用者の識別情報Ｐｉに対する認証の成否により判断される。
【００３４】
具体的には、セキュリティサーバ１０２は、ステップＳ１０２にて識別情報Ｐｉの認証に成功した場合、そのことを以て、当該識別情報Ｐｉで識別される利用者は規制装置１０１の通行が許可されている者であると判断する。一方、セキュリティサーバ１０２は、ステップＳ１０２にて識別情報Ｐｉの認証に失敗した場合には、そのことを以て、当該識別情報Ｐｉで識別される利用者は規制装置１０１の通行が許可されている者でないと判断する。
【００３５】
そして、セキュリティサーバ１０２は、ステップＳ１０２にて識別情報Ｐｉの認証に成功した場合には、規制装置１０１（情報の送信元）に対する制御を行う前に、認証に成功した識別情報Ｐｉに対応付けられている情報（即ち、後述する呼び登録処理に必要な情報）を取得する（取得処理。図４のステップＳ１０３）。
【００３６】
具体的には、セキュリティサーバ１０２は、上述した装置管理データＤ１に加えて、対応管理データＤ２を更に有している。図５（Ｂ）は、対応管理データＤ２の一例を示した概念図である。対応管理データＤ２では、記録媒体Ｑの識別情報Ｐｉごとに、その識別情報Ｐｉで識別される利用者の降車階として初期設定された初期設定階Ｆｄと、その同じ利用者に許可できる降車階として初期設定階Ｆｄに限らず設定された降車許可階Ｆｅと、が対応付けられている。また、対応管理データＤ２では、識別情報Ｐｉの漏洩を防止するべく、記録媒体Ｑの識別情報Ｐｉごとに、その識別情報Ｐｉに１対１で対応する管理情報Ｐｊ（例えば、ＩＣカードに付される通し番号のようなもの）が対応付けられている。
【００３７】
本実施形態では、初期設定階Ｆｄとして、エレベータの実在階又は当該実在階以外のデータの何れかが、識別情報Ｐｉに選択的に対応付けられている。図５（Ｂ）の例では、実在階以外のデータとして「０階」が用いられている。このような初期設定階Ｆｄは、後述する群管理制御装置１０４において、自動登録処理及び手動登録処理のどちらの処理を用いて呼び登録を行うべきかを判断する際に用いられる（図６のステップＳ２０１参照。詳細については後述）。尚、実在階以外のデータには、「０階」に限らず、エレベータに実在しない階数や、階数とは関係のない記号などが用いられてもよい。また、識別情報Ｐｉに対して初期設定階Ｆｄの情報が何も対応付けられていないこと（Ｆｄ＝Ｎｕｌｌ）を以て、それが実在階以外のデータとして用いられてもよい。
【００３８】
そして、セキュリティサーバ１０２は、ステップＳ１０１での認証に成功した識別情報Ｐｉに対応付けられている管理情報Ｐｊ、初期設定階Ｆｄ、及び降車許可階Ｆｅを対応管理データＤ２から読み出す。また、セキュリティサーバ１０２は、規制装置１０１から識別情報Ｐｉと共に送信されてきた装置情報Ｐｄを用いて、当該装置情報Ｐｄに対応付けられている設置階Ｆｓを装置管理データＤ１から読み出す。このようにして、セキュリティサーバ１０２は、認証に成功した識別情報Ｐｉに対応付けられている情報（即ち、呼び登録処理に必要な情報）を取得する。
【００３９】
次に、セキュリティサーバ１０２は、ステップＳ１０３で取得した情報（管理情報Ｐｊ、初期設定階Ｆｄ、降車許可階Ｆｅ、及び設置階Ｆｓ）を群管理制御装置１０４に送信する（送信処理。図４のステップＳ１０４。図１参照）。このとき、セキュリティサーバ１０２は、ステップＳ１０１で読み出した装置アドレスＰａも群管理制御装置１０４に送信する。
【００４０】
尚、上述した装置管理データＤ１及び対応管理データＤ２内のデータは、それらの少なくとも一部が、セキュリティサーバ１０２に代えて群管理制御装置１０４で管理されてもよい。この場合、群管理制御装置１０４が、呼び登録に必要な情報の少なくとも一部を、自身が管理するデータから読み出すことになる。
【００４１】
群管理制御装置１０４は、セキュリティサーバ１０２から上記情報を受信した場合、呼び登録処理（図６参照）を開始し、自動登録処理及び手動登録処理の何れか一方を、セキュリティサーバ１０２から受信した上記情報（受信情報Ｐｒ）に応じて選択し、実行する。尚、呼び登録処理の詳細については後述する。
【００４２】
そして、群管理制御装置１０４が手動登録処理を選択して実行した場合（図８参照）、降車許可階Ｆｅが規制装置１０１の表示装置３に選択可能に表示される（図８のステップＳ３２１参照）。そして、表示装置３にて降車許可階Ｆｅの何れか１つが選択された場合に（図８のステップＳ３２２、Ｓ３２４、及びＳ２２２参照）、群管理制御装置１０４が、その降車許可階Ｆｅを用いて呼び登録を行う（図８のステップＳ２２４参照）。尚、手動登録処理の詳細については後述する。
【００４３】
ここで、手動登録処理が選択された場合において、表示装置３に降車許可階Ｆｅが選択可能に表示されたときに規制装置１０１が通行可能な状態（解除状態）であると、利用者によっては、行先階を登録せずに（即ち、表示された降車許可階Ｆｅを何れも選択せずに）規制装置１０１を通過するおそれがある。そこで、セキュリティサーバ１０２は、群管理制御装置１０４にて手動登録処理で呼び登録が行われる場合に、利用者に、行先階を手動で登録する必要があること（即ち、表示装置３にて降車許可階Ｆｅの何れかを選択する必要があること）を気付かせるべく、以下のような処理を実行する。
【００４４】
先ず、セキュリティサーバ１０２は、ステップＳ１０３で取得した初期設定階Ｆｄに基づいて、群管理制御装置１０４において自動登録処理及び手動登録処理のどちらの処理が実行されるのかを判断する（判断処理。図４のステップＳ１０５）。そして、セキュリティサーバ１０２は、ステップＳ１０５での判断に基づいて、以下のような設定処理（図４のステップＳ１０６Ａ〜Ｓ１０９）を実行する。
【００４５】
セキュリティサーバ１０２は、ステップＳ１０５にて「手動登録処理が実行される」と判断した場合には、ステップＳ１０１で読み出した装置アドレスＰａへ規制信号Ｓｐを送信することにより、当該装置アドレスＰａで特定される規制装置１０１に通行規制を実行させる。具体的には、セキュリティサーバ１０２は、ゲートが開いている場合にはゲートを閉じる動作を規制装置１０１に実行させ、ゲートが閉じている場合にはそのままの状態を規制装置１０１に維持させる。このようにして、セキュリティサーバ１０２は、群管理制御装置１０４にて手動登録処理が実行される場合には、規制装置１０１の状態を規制状態（ゲートを閉じた状態）に設定する（図４のステップＳ１０６Ａ）。
【００４６】
この場合、利用者は、規制装置１０１の通行が許可されている者であるにも拘らず、規制装置１０１の通行が規制（禁止）されることになる。そのとき、利用者は、自身の通行が規制された理由を探ろうとし、その結果として、行先階を手動で登録する必要があること（即ち、表示装置３にて降車許可階Ｆｅの何れかを選択する必要があること）に気付くことができる。
【００４７】
そして、表示装置３にて降車許可階Ｆｅの何れか１つが選択された場合（図８のステップＳ３２２、Ｓ３２４、及びＳ２２２参照）、群管理制御装置１０４は、その降車許可階Ｆｅを用いて呼び登録を行い（図８のステップＳ２２４参照）、その後、手動登録処理が完了したことを知らせる完了信号Ｓｒをセキュリティサーバ１０２に送信する（図８のステップＳ２２７参照）。一方、表示装置３において降車許可階Ｆｅが何れも選択されずに当該降車許可階Ｆｅの表示（行先階選択画面の表示。図３の右上図参照）がタイムアウトした場合、表示装置３は、タイムアウト信号Ｓｔを群管理制御装置１０４及びセキュリティサーバ１０２に送信する（図８のステップＳ３２５）。
【００４８】
そこで、セキュリティサーバ１０２は、ステップＳ１０６Ａの実行後（規制状態への設定後）、群管理制御装置１０４から完了信号Ｓｒを受信したか否かを判断する（図４のステップＳ１０７）。そして、セキュリティサーバ１０２は、ステップＳ１０７にて「完了信号Ｓｒを受信した（Ｙｅｓ）」と判断できた場合には、ステップＳ１０１で読み出した装置アドレスＰａへ解除信号Ｓｑを送信することにより、当該装置アドレスＰａで特定される規制装置１０１に、ゲートを開く動作を実行させることによって通行規制を解除させる。このようにして、セキュリティサーバ１０２は、群管理制御装置１０４にて手動登録処理での呼び登録が実行された後に、規制装置１０１の状態を解除状態（ゲートを開いた状態）に切り替える（図４のステップＳ１０８）。
【００４９】
これにより、利用者は、表示装置３で行先階を選択することで呼び登録が実行されたことや、その結果として規制装置１０１の通行が可能になったことなどを認識することができる。
【００５０】
一方、セキュリティサーバ１０２は、ステップＳ１０７にて「完了信号Ｓｒを受信していない（Ｎｏ）」と判断した場合には、タイムアウト信号Ｓｔを受信したか否かを判断する（図４のステップＳ１０９）。そして、セキュリティサーバ１０２は、ステップＳ１０９にて「タイムアウト信号Ｓｔを受信していない（Ｎｏ）」と判断した場合には、ステップＳ１０７に戻り、ステップＳ１０７及びＳ１０９の何れかで「受信した（Ｙｅｓ）」と判断できるまで、ステップＳ１０７及びＳ１０９を繰り返し実行する。
【００５１】
セキュリティサーバ１０２は、ステップＳ１０９にて「タイムアウト信号Ｓｔを受信した（Ｙｅｓ）」と判断した場合には、ステップＳ１０８を実行せずに、規制装置１０１の状態を規制状態（ゲートを閉じた状態）のまま維持する。この場合、群管理制御装置１０４も、タイムアウト信号Ｓｔを受信（即ち、図８のステップＳ２２３にて「タイムアウト信号Ｓｔを受信した（Ｙｅｓ）」と判断）することになる。そして、群管理制御装置１０４は、タイムアウト信号Ｓｔを受信した場合には、呼び登録（図８のステップＳ２２４）を実行せずに手動登録処理を終了させる。このような処理によれば、利用者による行先階の選択が遅れて降車許可階Ｆｅの表示（行先階選択画面の表示）がタイムアウトしたとしても、ゲートが開かないので、行先階の登録がない利用者が誤ってゲートを通過してしまうことが防がれる。
【００５２】
セキュリティサーバ１０２は、ステップＳ１０５にて「自動登録処理が実行される」と判断した場合には、ステップＳ１０１で読み出した装置アドレスＰａへ解除信号Ｓｑを送信することにより、当該装置アドレスＰａで特定される規制装置１０１に通行規制を解除させる。具体的には、セキュリティサーバ１０２は、ゲートが閉じている場合にはゲートを開く動作を規制装置１０１に実行させ、ゲートが開いている場合にはそのままの状態を規制装置１０１に維持させる。このようにして、セキュリティサーバ１０２は、群管理制御装置１０４にて自動登録処理が実行される場合には、規制装置１０１の状態を解除状態（ゲートを開いた状態）に設定する（図４のステップＳ１０６Ｂ）。
【００５３】
この場合、行先階が自動で登録されるため、行先階の登録なしに利用者が規制装置１０１を通行するといった事態が生じない。よって、群管理制御装置１０４にて自動登録処理が選択される場合には、手動登録処理が選択された場合とは異なり、即座に通行規制を解除することができる。これにより、利用者は、立ち止まることなく規制装置１０１をスムーズに通行することが可能になる。
【００５４】
一方、セキュリティサーバ１０２は、ステップＳ１０２にて識別情報Ｐｉの認証に失敗した場合には、ステップＳ１０１で読み出した装置アドレスＰａへ規制信号Ｓｐを送信することにより、当該装置アドレスＰａで特定される規制装置１０１に通行規制を実行させる。具体的には、セキュリティサーバ１０２は、ゲートが開いている場合にはゲートを閉じる動作を規制装置１０１に実行させ、ゲートが閉じている場合にはそのままの状態を規制装置１０１に維持させる。このようにして、セキュリティサーバ１０２は、規制装置１０１の状態を規制状態（ゲートを閉じた状態）に設定する（図４のステップＳ１１０）。
【００５５】
この場合、利用者は、規制装置１０１の通行が許可されている者でないが故に、規制装置１０１の通行が規制（禁止）されることになる。
【００５６】
［２−２］呼び登録処理
図６は、群管理制御装置１０４で実行される呼び登録処理を示したフローチャートである。呼び登録処理は、群管理制御装置１０４がセキュリティサーバ１０２から情報（管理情報Ｐｊ、初期設定階Ｆｄ、降車許可階Ｆｅ、設置階Ｆｓ、及び装置アドレスＰａ）を受信した場合に、当該群管理制御装置１０４によって開始される。
【００５７】
呼び登録処理が開始されると、群管理制御装置１０４は先ず、自動登録処理及び手動登録処理のどちらの処理を用いて呼び登録を行うべきかを判断するべく、セキュリティサーバ１０２から受信した上記情報（受信情報Ｐｒ）に含まれている初期設定階Ｆｄが、実在階であるのか、それとも実在階以外のデータ（本実施形態では「０階」）であるのかを判断する（図６のステップＳ２０１）。
【００５８】
群管理制御装置１０４は、ステップＳ２０１にて「実在階」であると判断した場合、自動登録処理を実行する（図６のステップＳ２０２Ａ）。一方、群管理制御装置１０４は、ステップＳ２０１にて「実在階以外のデータ」であると判断した場合、手動登録処理を実行する（図６のステップＳ２０２Ｂ）。
【００５９】
このように、エレベータの利用者ごとに、実在階又は当該実在階以外のデータの何れかが初期設定階Ｆｄとして当該利用者の識別情報Ｐｉに選択的に対応付けられることにより、制御処理を複雑化させることなく、自動登録処理及び手動登録処理のどちらの処理を用いて呼び登録を行うべきかを、利用者ごとに群管理制御装置１０４に判断させることが可能になる。
【００６０】
＜自動登録処理＞
図７は、群管理制御装置１０４で実行される自動登録処理（ステップＳ２０２Ａ）を具体的に示したフローチャートである。自動登録処理では、群管理制御装置１０４は、受信情報Ｐｒに含まれている初期設定階Ｆｄをそのまま行先階Ｆｃ１として用いて呼び登録を行う（図７のステップＳ２１１）。具体的には、群管理制御装置１０４は、受信情報Ｐｒに含まれている初期設定階Ｆｄ及び設置階Ｆｓを、それぞれ行先階Ｆｃ１及び出発階Ｆｃ２として、何れか１つの乗りかご１００に割り当てる。
【００６１】
ステップＳ２１１での呼び登録の実行後、群管理制御装置１０４は、受信情報Ｐｒに含まれている装置アドレスＰａで特定される規制装置１０１の表示装置２に、当該表示装置２に表示させる情報（表示情報）として、管理情報Ｐｊ、行先階Ｆｃ１、及び呼び登録で割り当てた乗りかご１００の情報（乗りかご情報Ｐｇ）を送信する（図７のステップＳ２１２）。そして表示装置２は、上記表示情報を受信した場合に、管理情報Ｐｊ、行先階Ｆｃ１、及び乗りかご情報Ｐｇを画面に表示する。このような画面表示によれば、利用者は、規制装置１０１を通過する際に、表示装置２に表示された乗りかご情報Ｐｇを見ることにより、自身が乗車すべき乗りかご１００を認識できる。
【００６２】
その後、群管理制御装置１０４は、受信情報Ｐｒに含まれている装置アドレスＰａで特定される規制装置１０１の表示装置３に、許可通知信号Ｓｃ１を送信する（図７のステップＳ２１３）。ここで、許可通知信号Ｓｃ１は、自動登録処理での呼び登録の完了後に規制装置１０１の通行を利用者に促すための画面（許可通知画面。図２の右図参照）を、表示装置３に表示させるための信号である。
【００６３】
表示装置３は、許可通知信号Ｓｃ１を受信した場合、許可通知画面を表示する（図７のステップＳ３１１）。図２の右図は、そのときに表示される許可通知画面を例示した図である。この図では、規制装置１０１の通行を利用者に促すべく、進行方向矢印が表示装置３に表示されている。
【００６４】
上述したステップＳ３１１では、表示装置３は更に、変数Ｔ１に現在時刻Ｔを代入する。ここで、変数Ｔ１は、許可通知画面の表示を開始した時刻を特定するための変数であり、ステップＳ３１２にて当該時刻からの経過時間（Ｔ−Ｔ１）を求める際に用いられる。
【００６５】
ステップＳ３１１の実行後（許可通知画面の表示後）、表示装置３は、変数Ｔ１に代入された時刻からの経過時間（Ｔ−Ｔ１）が、予め設定されている所定時間Ｔｃ１（例えば、２秒）以上になったか否かを判断する（図７のステップＳ３１２）。ここで、所定時間Ｔｃ１は、表示装置３にて許可通知画面を表示しておく時間である。
【００６６】
表示装置３は、ステップＳ３１２にて「所定時間Ｔｃ１以上になった（Ｙｅｓ）」と判断するまで、許可通知画面の表示を継続した状態でステップＳ３１２を繰り返し実行する。そして、表示装置３は、ステップＳ３１２にて「所定時間Ｔｃ１以上になった（Ｙｅｓ）」と判断した場合、許可通知画面から待受画面（図２の左図参照）へ表示を切り替える（図７のステップＳ３１３）。これにより、１人の利用者に対する自動登録処理での呼び登録及びそれに関連した一連の処理（表示装置３で実行される処理など）が完了する。
【００６７】
＜手動登録処理＞
図８は、群管理制御装置１０４で実行される手動登録処理（ステップＳ２０２Ｂ）を具体的に示したフローチャートである。手動登録処理では、群管理制御装置１０４は、受信情報Ｐｒに含まれている降車許可階Ｆｅを、同じその受信情報Ｐｒに含まれている装置アドレスＰａで特定される規制装置１０１の表示装置３に送信する（図８のステップＳ２２１）。このとき、群管理制御装置１０４は、管理情報Ｐｊなども表示装置３に送信してもよい。そして表示装置３は、降車許可階Ｆｅを受信した場合、受信した降車許可階Ｆｅを選択可能に表示する（図８のステップＳ３２１。図３の右上図参照）。
【００６８】
これにより、利用者は、表示装置３（行先階選択画面）にて降車許可階Ｆｅの何れか１つ（選択階Ｆｅ０）を行先階Ｆｃ１として選択することが可能になる。
【００６９】
尚、行先階選択画面には、降車許可階Ｆｅと共に、当該降車許可階Ｆｅの何れかを行先階として選択することを利用者に促すメッセージと、行先階を選択することでゲートが開くこと（即ち、規制装置１０１での通行規制が解除されること）を知らせるメッセージとが表示されてもよい（図３の右上図参照）。これらのメッセージによれば、利用者は、行先階を手動で登録する必要があること（即ち、表示装置３にて降車許可階Ｆｅの何れかを選択する必要があること）に気付きやすくなる。尚、これらのメッセージは、表示装置３への表示に限らず、音声で利用者に通知されてもよい。
【００７０】
また、行先階選択画面には、降車許可階Ｆｅと共に管理情報Ｐｊなどが表示されてもよい（図３の右上図参照）。これにより、利用者は、表示されている行先階選択画面が自身の行先階選択のための画面であるか否かを、表示されている管理情報Ｐｊで確認することが可能になる。
【００７１】
上述したステップＳ３２１では、表示装置３は更に、変数Ｔ２に現在時刻Ｔを代入する。ここで、変数Ｔ２は、表示装置３にて降車許可階Ｆｅを選択可能に表示した時刻（即ち、行先階選択画面を表示した時刻）を特定するための変数であり、ステップＳ３２３にて当該時刻からの経過時間（Ｔ−Ｔ２）を求める際に用いられる。
【００７２】
ステップＳ３２１の実行後（降車許可階Ｆｅの表示後）、表示装置３は、行先階選択画面にて降車許可階Ｆｅの何れか１つが選択されたか否かを判断する（図８のステップＳ３２２）。そして、利用者が降車許可階Ｆｅを何れも選択していない場合には、表示装置３は、ステップＳ３２２にて「選択されていない（Ｎｏ）」と判断し、ステップＳ３２３へ移行する。ステップＳ３２３では、表示装置３は、変数Ｔ２に代入された時刻からの経過時間（Ｔ−Ｔ２）が、予め設定されている所定時間Ｔｃ２（例えば、６秒）以上になったか否かを判断する。ここで、所定時間Ｔｃ２は、表示装置３（行先階選択画面）にて行先階が選択されるのを待つ時間である。
【００７３】
表示装置３は、ステップＳ３２３にて「所定時間Ｔｃ２以上になっていない（Ｎｏ）」と判断した場合には、ステップＳ３２２を再び実行する。即ち、表示装置３は、所定時間Ｔｃ２が経過するまで、表示装置３に降車許可階Ｆｅを選択可能に表示した状態で、当該降車許可階Ｆｅの何れか１つが選択されるのを待つ。そして、所定時間Ｔｃ２が経過する前に、利用者が降車許可階Ｆｅの何れか１つを選択した場合には、表示装置３は、ステップＳ３２２にて「選択された（Ｙｅｓ）」と判断し、選択された降車許可階Ｆｅ（以下、「選択階Ｆｅ０」と称す）を群管理制御装置１０４に送信する（図８のステップＳ３２４）。図３の例では、「８階」が選択された場合が示されており、この場合には「８階」が選択階Ｆｅ０として群管理制御装置１０４に送信される。尚、表示装置３は、ステップＳ３２４において管理情報Ｐｊなども群管理制御装置１０４に送信してもよい。これにより、群管理制御装置１０４は、選択階Ｆｅ０がどの利用者のものであるのかを認識しやすくなる。
【００７４】
一方、表示装置３（行先階選択画面）にて降車許可階Ｆｅが何れも選択されずに所定時間Ｔｃ２が経過した場合には、表示装置３は、ステップＳ３２３にて「所定時間Ｔｃ２以上になった（Ｙｅｓ）」と判断し、所定時間Ｔｃ２が経過したことを知らせるタイムアウト信号Ｓｔを、群管理制御装置１０４及びセキュリティサーバ１０２に送信する（図８のステップＳ３２５）。
【００７５】
群管理制御装置１０４は、ステップＳ２２１の実行後（表示装置３への降車許可階Ｆｅの送信後）、表示装置３から選択階Ｆｅ０を受信したか否かを判断する（図８のステップＳ２２２）。そして、群管理制御装置１０４は、ステップＳ２２２にて「選択階Ｆｅ０を受信していない（Ｎｏ）」と判断した場合には、次に、表示装置３からタイムアウト信号Ｓｔを受信したか否かを判断する（図８のステップＳ２２３）。
【００７６】
群管理制御装置１０４は、ステップＳ２２３にて「タイムアウト信号Ｓｔを受信していない（Ｎｏ）」と判断した場合には、ステップＳ２２２を再び実行する。即ち、群管理制御装置１０４は、表示装置３での降車許可階Ｆｅの表示（行先階選択画面の表示）がタイムアウトするまで、表示装置３から選択階Ｆｅ０が送信されてくるのを待つ。そして、群管理制御装置１０４は、降車許可階Ｆｅの表示がタイムアウトする前に選択階Ｆｅ０を受信できた場合には、ステップ２２２にて「選択階Ｆｅ０を受信した（Ｙｅｓ）」と判断することになる。一方、群管理制御装置１０４は、表示装置３での降車許可階Ｆｅの表示がタイムアウトしてタイムアウト信号Ｓｔを受信した場合には、ステップＳ２２３にて「タイムアウト信号Ｓｔを受信した（Ｙｅｓ）」と判断することになる。
【００７７】
群管理制御装置１０４は、ステップＳ２２２にて「選択階Ｆｅ０を受信した（Ｙｅｓ）」と判断した場合には、受信した選択階Ｆｅ０を行先階Ｆｃ１として用いて呼び登録を行う（図８のステップＳ２２４）。具体的には、群管理制御装置１０４は、受信した選択階Ｆｅ０と、受信情報Ｐｒに含まれている設置階Ｆｓとを、それぞれ行先階Ｆｃ１及び出発階Ｆｃ２として、何れか１つの乗りかご１００に割り当てる。
【００７８】
ステップＳ２２４での呼び登録の実行後、群管理制御装置１０４は、受信情報Ｐｒに含まれている装置アドレスＰａで特定される規制装置１０１の表示装置２に、当該表示装置２に表示させる情報（表示情報）として、管理情報Ｐｊ、行先階Ｆｃ１、及び呼び登録で割り当てた乗りかご１００の情報（乗りかご情報Ｐｇ）を送信する（図８のステップＳ２２５）。そして表示装置２は、上記表示情報を受信した場合に、管理情報Ｐｊ、行先階Ｆｃ１、及び乗りかご情報Ｐｇを画面に表示する。このような画面表示によれば、利用者は、規制装置１０１を通過する際に、表示装置２に表示された乗りかご情報Ｐｇを見ることにより、自身が乗車すべき乗りかご１００を認識できる。
【００７９】
ステップＳ２２５の実行後（乗りかご情報Ｐｇの送信後）、群管理制御装置１０４は、受信情報Ｐｒに含まれている装置アドレスＰａで特定される規制装置１０１の表示装置３に、許可通知信号Ｓｃ２を送信する（図８のステップＳ２２６）。ここで、許可通知信号Ｓｃ２は、手動登録処理での呼び登録の完了後に規制装置１０１の通行を利用者に促すための画面（許可通知画面。図３の右下図参照）を、表示装置３に表示させるための信号である。
【００８０】
その後、群管理制御装置１０４は、手動登録処理が完了したことを知らせる完了信号Ｓｒをセキュリティサーバ１０２に送信する（図８のステップＳ２２７）。そして、セキュリティサーバ１０２は、完了信号Ｓｒを受信した場合（図４のステップＳ１０７にて「完了信号Ｓｒを受信した（Ｙｅｓ）」と判断した場合）、規制装置１０１の状態を解除状態（ゲートを開いた状態）に設定する（図４のステップＳ１０８）。
【００８１】
また、表示装置３は、上述した許可通知信号Ｓｃ２を群管理制御装置１０４から受信した場合、許可通知画面を表示する（図８のステップＳ３２６）。図３の右下図は、そのときに表示される許可通知画面を例示した図である。この図では、規制装置１０１の通行を利用者に促すべく、進行方向矢印が表示装置３に表示されている。尚、このときの許可通知画面には、進行方向矢印と共に、ゲートが開くこと（即ち、規制装置１０１での通行規制が解除されること）を知らせるメッセージが表示されてもよい。このメッセージによれば、利用者は、表示装置３で行先階を選択することで呼び登録が実行されたことや、その結果として規制装置１０１の通行が可能になったことなどを認識することができる。尚、このメッセージは、表示装置３への表示に限らず、音声で利用者に通知されてもよい。
【００８２】
その後、表示装置３は、ステップＳ３１１〜Ｓ３１３で許可通知画面を表示する場合と同様、予め設定されている所定時間Ｔｃ１（例えば、２秒）が経過するまで許可通知画面を表示し、所定時間Ｔｃ１の経過後に許可通知画面から待受画面（図３の左上図参照）へ表示を切り替える（図８のステップＳ３２６〜Ｓ３２８）。これにより、１人の利用者に対する手動登録処理での呼び登録処理及びそれに関連した一連の処理（表示装置３で実行される処理など）が完了する。
【００８３】
一方、群管理制御装置１０４は、ステップＳ２２３にて「タイムアウト信号Ｓｔを受信した（Ｙｅｓ）」と判断した場合には、呼び登録（ステップＳ２２４）を実行せずに手動登録処理を終了させる。
【００８４】
このような呼び登録処理によれば、対応管理データＤ２にて識別情報Ｐｉに初期設定階Ｆｄとして実在階が対応付けられている利用者に対しては、規制装置１０１の通行が許可された場合、群管理制御装置１０４にて自動登録処理が選択され、それにより、その後の当該利用者による操作を何ら必要とせずに自動的に、初期設定階Ｆｄ（＝実在階）を用いた呼び登録が実行される。一方、対応管理データＤ２にて識別情報Ｐｉに初期設定階Ｆｄとして実在階以外のデータが対応付けられている利用者に対しては、規制装置１０１の通行が許可された場合、群管理制御装置１０４にて手動登録処理が選択され、それにより利用者は、規制装置１０１の通過時に、表示装置３に表示された降車許可階Ｆｅの何れか１つを行先階Ｆｃ１として選択することが可能になる。従って、当該利用者は、初期設定階Ｆｄに限らず、当該初期設定階Ｆｄとは別の階へも移動することが可能になる。
【００８５】
従って、行先階Ｆｃ１をあまり変更することがない利用者は、対応管理データＤ２にて識別情報Ｐｉに初期設定階Ｆｄとして実在階が対応付けられること（即ち、自動登録処理で呼び登録が行われること）を希望することにより、行先階Ｆｃ１を選択するといった操作を行うことなくスムーズに規制装置１０１を通過することが可能になる。また、行先階Ｆｃ１を頻繁に変更する利用者は、対応管理データＤ２にて識別情報Ｐｉに初期設定階Ｆｄとして実在階以外のデータが対応付けられること（即ち、手動登録処理で呼び登録が行われること）を希望することにより、規制装置１０１の通過時に行先階Ｆｃ１（降車許可階Ｆｅの何れか１つ）を選択することが可能になる。このため、行先階Ｆｃ１を頻繁に変更する利用者にとっては、規制装置１０１の通過後に行先階登録装置（不図示）で行先階を入力するといった煩わしさがなくなる。よって、エレベータにおける利便性が高まる。
【００８６】
［３］変形例
［３−１］第１変形例
上述した実施形態では、表示装置３での降車許可階Ｆｅの表示（行先階選択画面の表示）が所定時間Ｔｃ２の経過後にタイムアウトするため、そのことを利用者に認識させるべく、行先階選択画面において、タイムアウトするまでの残り時間を表示し、その時間をカウントダウンしてもよい。
【００８７】
図９（Ａ）及び（Ｂ）は、行先階選択画面にてタイムアウトするまでの残り時間が表示された２つの例を示した図である。タイムアウトするまでの残り時間は、図９（Ａ）に示されるように数字で表示されてもよいし、図９（Ｂ）に示されるように残り時間の長さに応じて変化する図形や記号などによって表示されてもよい。尚、残り時間の表示方法は、残り時間の長さを利用者に認識させることのできるものであれば、図９（Ａ）や（Ｂ）に示されたものに限定されない様々な表示方法に適宜変更されてもよい。
【００８８】
［３−２］第２変形例
上述した実施形態において、群管理制御装置１０４において自動登録処理及び手動登録処理のどちらの処理が実行されるのかについてのセキュリティサーバ１０２での判断（図４のステップＳ１０５）、及び自動登録処理及び手動登録処理のどちらの処理を用いて呼び登録を行うべきかについての群管理制御装置１０４での判断（図６のステップＳ２０１）は、初期設定階Ｆｄ（実在階又は当該実在階以外のデータ）に限らず、別の情報を用いて行われてもよい。
【００８９】
一例として、対応管理データＤ２において、識別情報Ｐｉには、初期設定階Ｆｄと降車許可階Ｆｅとに加えて、呼び登録に使用する処理方法Ｐｍ（自動登録処理又は手動登録処理）が対応付けられていてもよく、セキュリティサーバ１０２及び群管理制御装置１０４は、当該処理方法Ｐｍに基づいて上記判断を行ってもよい。他の例として、セキュリティサーバ１０２及び群管理制御装置１０４は、時間帯に基づいて上記判断を行ってもよい。
【００９０】
［３−３］第３変形例
上述した実施形態において、規制装置１０１には、表示装置３の操作が可能となる位置にいる利用者を検知できるように人感センサが設けられていてもよい。そして、セキュリティサーバ１０２は、手動登録処理の実行時に表示装置３からタイムアウト信号Ｓｔを受信した場合（図４のステップＳ１０９にて「タイムアウト信号Ｓｔを受信した（Ｙｅｓ）」と判断した場合）には、人感センサによる利用者の検知がある限りにおいて、規制装置１０１の状態を規制状態（ゲートを閉じた状態）のまま維持してもよい。例えば、人感センサによる利用者の検知がない場合には、セキュリティサーバ１０２はステップＳ１０８（解除状態への切替え）へ移行してもよい。
【００９１】
このような処理によれば、利用者による行先階の選択が遅れて降車許可階Ｆｅの表示（行先階選択画面の表示）がタイムアウトしたとしても、そこに利用者がいる限りはゲートが開かないので、行先階の登録がない利用者が誤ってゲートを通過してしまうことが防がれる。
【００９２】
［３−４］他の変形例
上述した制御システムにおいて、表示装置２及び３が別個の装置として規制装置１０１に設けられる場合に限らず、表示装置３だけが規制装置１０１に設けられ、表示装置２の機能が表示装置３で実現されてもよい。
【００９３】
上述の実施形態及び変形例の説明は、すべての点で例示であって、制限的なものではないと考えられるべきである。本発明の範囲は、上述の実施形態又は変形例ではなく、特許請求の範囲によって示される。即ち、上述の実施形態及び変形例の説明からは、特許請求の範囲に記載されているように、表示装置３と、セキュリティサーバ１０２内に構築された設定処理部１０２Ｅと、群管理制御装置１０４内に構築された呼び登録処理部１０４Ａとを、本発明に係る制御システムでの必要最小限の構成要素として抽出できる。更に、本発明の範囲には、特許請求の範囲と均等の意味及び範囲内での全ての変更が含まれることが意図される。
【００９４】
また、上述の実施形態及び変形例の説明には、特許請求の範囲に記載された発明に限らず、エレベータ又はその制御システムに含まれる各装置の構成（各種処理部を含む）及び各装置が実行する制御処理、並びにそれらの一部なども、発明として含まれている。
【符号の説明】
【００９５】
１  読取装置
２、３  表示装置
Ｈ  乗場
Ｑ  記録媒体
Ｔ  現在時刻
Ｄ１  装置管理データ
Ｄ２  対応管理データ
Ｆｄ  初期設定階
Ｆｅ  降車許可階
Ｆｓ  設置階
Ｐａ  装置アドレス
Ｐｄ  装置情報
Ｐｇ  乗りかご情報
Ｐｉ  識別情報
Ｐｊ  管理情報
Ｐｍ  処理方法
Ｐｒ  受信情報
Ｓｐ  規制信号
Ｓｑ  解除信号
Ｓｒ  完了信号
Ｓｔ  タイムアウト信号
１００  乗りかご
１０１  規制装置
１０２  セキュリティサーバ
１０２Ａ  認証処理部
１０２Ｂ  取得処理部
１０２Ｃ  送信処理部
１０２Ｄ  判断処理部
１０２Ｅ  設定処理部
１０３  エレベータ制御装置
１０４  群管理制御装置
１０４Ａ  呼び登録処理部
Ｆｃ１  行先階
Ｆｃ２  出発階
Ｆｅ０  選択階
Ｓｃ１、Ｓｃ２  許可通知信号
Ｔｃ１、Ｔｃ２  所定時間
【要約】
【課題】エレベータの制御システムとして、手動登録処理で呼び登録を行う場合に、利用者に、行先階を手動で登録する必要があることを気付かせることができるシステムを提供する。
【解決手段】制御システムは、乗場への進入を規制するための規制装置が設置されたエレベータに適用可能であり、当該エレベータでは、利用者ごとに、規制装置の通行が許可されているか否かが、当該利用者の識別情報に対する認証の成否により判断される。この制御システムは、規制装置に設けられる操作機能付きの表示装置と、手動登録処理の実行が可能な呼び登録処理部と、設定処理部と、を備える。設定処理部は、規制装置の状態を、通行規制を実行した規制状態と、通行規制を解除した解除状態、の何れかに設定する。そして、設定処理部は、呼び登録処理部にて手動登録処理が実行される場合には、規制装置の状態を規制状態に設定する。
【選択図】図１【図１】
0006969638.tif 000002
【図２】
0006969638.tif 000003
【図３】
0006969638.tif 000004
【図４】
0006969638.tif 000005
【図５】
0006969638.tif 000006
【図６】
0006969638.tif 000007
【図７】
0006969638.tif 000008
【図８】
0006969638.tif 000009
【図９】
0006969638.tif 000010